(57)【要約】
【課題】　従来の技術による諸問題を解決するため、多種類のデータ形式を出力できるデジタルレコーダーを提供する。
【解決手段】　デジタルレコーダー２０は、ハウジング２８と、ハウジング２８内に設けられてデジタルレコーダー２０のデジタルＡＶ信号の形式を変換するマルチ形式変換モジュール２４と、ハウジング２８に設けられてマルチ形式変換モジュール２４と接続されるそれぞれ形式が異なった複数の接続ポート３９と、ハウジング２８内に設けられてデジタルレコーダー２０のデジタルＡＶ信号を保存する保存メディア２６と、マルチ形式変換モジュール２４と保存メディア２６と電気的に接続されて両者の動作を制御するコントローラー３２とを含む。
【選択図】　図２
0003100186.tif 000002
【実用新案登録請求の範囲】
【請求項１】
　種々のデータ形式を出力できるデジタルレコーダー、該デジタルレコーダーは、
　ハウジングと、
　ハウジング内に設けられてデジタルレコーダーのデジタルＡＶ信号の形式を変換するマルチ形式変換モジュールと、
　ハウジングに設けられてマルチ形式変換モジュールと接続されるそれぞれ形式が異なった複数の接続ポートと、
　ハウジング内に設けられてデジタルレコーダーのデジタルＡＶ信号を保存する保存メディアと、
　マルチ形式変換モジュールと保存メディアと電気的に接続されてマルチ形式変換モジュールと保存メディアの動作を制御するコントローラーとを含むことを特徴とするデジタルレコーダー。
【請求項２】
　前記複数の接続ポートのうちの一つはケーブルによってコンピューターの接続ポートと接続されることを特徴とする請求項１記載のデジタルレコーダー。
【請求項３】
　前記デジタルレコーダーは更に、
　ハウジング内に設けられて入力されたアナログＡＶ信号をデジタルＡＶ信号に変換するアナログ／デジタル変換器と、
　アナログ／デジタル変換器とマルチ形式変換モジュールと保存メディアと電気的に接続されてアナログ／デジタル変換器より出力されたデジタルＡＶ信号を受信して符号化／復号化し、デジタルＡＶ信号をマルチ形式変換モジュールと保存メディアとに出力するＣＯＤＥＣとを含むことを特徴とする請求項１記載のデジタルレコーダー。
【請求項４】
　前記デジタルレコーダーは更に、ハウジングに設けられてコントローラーと電気的に接続され、赤外線形式の信号を受信してデジタルレコーダーの動作を制御するための赤外線信号受信モジュールを含むことを特徴とする請求項１記載のデジタルレコーダー。
【請求項５】
　前記デジタルレコーダーは更に、デジタルレコーダーの基本操作に必要なプログラムを提供する基本入出力システムを含むことを特徴とする請求項１記載のデジタルレコーダー。
【請求項６】
　前記デジタルレコーダーは更に、デジタルレコーダーの操作メッセージを表示するオンスクリーンディスプレイ制御ユニットを含むことを特徴とする請求項１記載のデジタルレコーダー。
【請求項７】
　前記保存メディアがハードディスクドライブであることを特徴とする請求項１記載のデジタルレコーダー。
【請求項８】
　前記複数の接続ポートのうちの一つは、ＵＳＢ１.０、ＵＳＢ２.０、ＰＣＩ、ＳＣＳＩ、ＩＥＥＩ１３９４などの形式のうちの一つにあたることを特徴とする請求項１記載のデジタルレコーダー。
【請求項９】
　前記デジタルレコードがノートブック型コンピューターのドックであることを特徴とする請求項１記載のデジタルレコーダー。
【請求項１０】
　前記デジタルレコーダーは更に、マルチ形式変換モジュールと接続されて無線信号を受発信する無線信号受発信モジュールを含むことを特徴とする請求項１記載のデジタルレコーダー。
【請求項１１】
　前記無線信号受発信モジュールはコンピューターの無線信号受発信モジュールと無線でデータを交換することを特徴とする請求項１０記載のデジタルレコーダー。
【請求項１２】
　前記コンピュータはプロセッサーと、コンピューターの無線信号受発信モジュールと接続されてデジタルレコーダーよりのデジタルＡＶ信号を受信して変換するＡＶ処理デバイスと、ＡＶ処理デバイスよりのデジタルＡＶ信号を表示する表示装置とを含むことを特徴とする請求項１１記載のデジタルレコーダー。
【請求項１３】
　前記コンピュータはプロセッサーと、コンピューターの接続ポートと接続されてデジタルレコーダーよりのデジタルＡＶ信号を受信して変換するＡＶ処理デバイスと、ＡＶ処理デバイスよりのデジタルＡＶ信号を表示する表示装置とを含むことを特徴とする請求項２のデジタルレコーダー。
【考案の詳細な説明】
【技術分野】
【０００１】
　この考案はデジタルレコーダーに関し、特にデジタルＡＶ信号の形式を変換して伝送するデジタルレコーダーに関する。
【背景技術】
【０００２】
　現代の情報化社会において、コンピューターはデジタルデータを処理する最も重要な手段である。特に近年において、コンピューターの価格が一般大衆が負担できるように低減するとともに、コンピューターは家庭と会社の必需設備となっている。なお、コンピューターの演算速度の大幅の向上とマルチメディア処理技術の発展に従って、コンピューターの応用はもはやワードプロセッシングなどに限らず、コンピューターの強大な演算能力のかげで使用者は映像と音声を楽しめられる。周辺設備の拡充によって、コンピューターは簡単な操作と低廉な価格でデジタル情報を社会に浸透させ、関連操作に関わる訓練を受けていない大衆にも簡単に操作されるようになった。マルチメディア処理技術の発展とともに、ＡＶ信号を処理するＡＶ信号変換装置も業者の開発の重点となっている。
【０００３】
　図１を参照する。図１は従来のＡＶ信号変換装置１０を表わす説明図である。ＡＶ信号変換装置１０はアナログ／デジタル信号変換器（以下ＡＤＣと略称する）１２と、ＣＯＤＥＣ（符号／復号器）１４と、形式変換器１６とを含む。ＡＤＣ１２はＣＯＤＥＣ１４と電気的に接続されて外部アナログ映像信号と相応する音声信号を受信して、対応するデジタル映像信号とデジタル音声信号に変換してＣＯＤＥＣ１４に伝送する。ＣＯＤＥＣ１４はＡＤＣ１２と形式変換器１６と電気的に接続されてＡＤＣ１２から受信したデジタル映像信号と相応する音声信号を符号化／復号化して対応するＡＶ信号を発生させ、また符号化／復号化されたＡＶ信号を形式変換器１６に伝送する。形式変換器１６はＣＯＤＥＣ１４と電気的に接続されてＣＯＤＥＣ１４から受信したＡＶ信号のデータ形式を変換し、また変換されたデータ形式の受信できるコンピューターの接続ポートに伝送する。ちなみに現在、業者に周知されている接続ポートの形式はＰＣＩ、ＵＳＢ１.１、ＵＳＢ２.０、ＩＥＥＩ１３４９などがある。ＡＶ信号変換装置１０は更にＢＩＯＳ（basic input/output system、基本入出力システム）１８と赤外線受信モジュール１９を具える。そのうちＢＩＯＳ１８はＡＶ信号変換装置１０の基本動作に必要なプログラムを保存して、必要なときに保存したプログラムを提供する。赤外線受信モジュール１９は赤外線形式の外部制御信号、例えば外部赤外線リモートコントローラーからの制御信号を受信して対応する制御信号に変換することによって、ＡＶ信号変換装置１０の動作を制御する。
【０００４】
　従来のＡＶ信号変換装置１０はアナログＡＶ信号を対応するデジタルＡＶ信号に変換してから、形式変換器１６を通してデジタルＡＶ信号のデータ形式をコンピューターにある特定の接続ポートが受信できるデータ形式に変換する。ＡＶ信号変換装置１０を利用するコンピューターとノートブック型コンピューターはアナログよりデジタル形式に変換されたＡＶ信号を受信し、同じ形式の接続ポートを有するコンピューターシステムに表示、保存、編集させる。しかし、ＡＶ信号変換装置１０の形式変換器１６は一種類のコンピューター形式にしか対応していないため、その他のコンピューターを利用する場合、当該コンピューターが形式変換器１６のデータ形式に対応する接続ポートを提供していなければ、ＡＶ信号変換装置１０はうまく作動できないおそれがある。なお、ＡＶ信号変換装置１０はデータの受信、変換及び出力装置としかされず、コンピューターかノートブック型コンピューターと接続されていない場合は単独に作動できないため、その応用の範囲は大幅に縮小する。更に、ＡＶ信号変換装置はケーブルによってコンピューターの接続ポートと接続され、無線接続などその他の接続方法がないため、コンピューターとＡＶ信号変換装置１０の配置方法のバリエーションも少なく、工業設計には不向きである。
【考案の開示】
【考案が解決しようとする課題】
【０００５】
　よってこの考案は前述の問題を解決するため、多種類のデータ形式を出力できるデジタルレコーダーを提供することを課題とする。
【課題を解決するための手段】
【０００６】
　この考案は種々のデータ形式を出力できるデジタルレコーダーを提供する。該デジタルレコーダーは、ハウジングと、ハウジング内に設けられてデジタルレコーダーのデジタルＡＶ信号の形式を変換するマルチ形式変換モジュールと、ハウジングに設けられてマルチ形式変換モジュールと接続されるそれぞれ形式が異なった複数の接続ポートと、ハウジング内に設けられてデジタルレコーダーのデジタルＡＶ信号を保存する保存メディアと、マルチ形式変換モジュールと保存メディアと電気的に接続されてマルチ形式変換モジュールと保存メディアの動作を制御するコントローラーとを含む。そのうち複数の接続ポートのうちの一つはケーブルによってコンピューターの接続ポートと接続される。デジタルレコーダーは更に、ハウジング内に設けられて入力されたアナログＡＶ信号をデジタルＡＶ信号に変換するアナログ／デジタル変換器と、アナログ／デジタル変換器とマルチ形式変換モジュールと保存メディアと電気的に接続されてアナログ／デジタル変換器より出力されたデジタルＡＶ信号を受信して符号化／復号化し、デジタルＡＶ信号をマルチ形式変換モジュールと保存メディアとに出力するＣＯＤＥＣと、ハウジングに設けられてコントローラーと電気的に接続され、赤外線形式の信号を受信してデジタルレコーダーの動作を制御するための赤外線信号受信モジュールと、デジタルレコーダーの基本操作に必要なプログラムを提供する基本入出力システムと、デジタルレコーダーの操作メッセージを表示するオンスクリーンディスプレイ（以下ＯＳＤと称する）制御ユニットとを含む。
【０００７】
　かかるコネクターの特徴を詳述するために、具体的な実施例を挙げ、図示を参照にして以下に説明する。
【０００８】
　注意すべき点は、前記保存メディアがハードディスクドライブ（以下ＨＤＤと称する）であり、複数の接続ポートのうちの一つは、ＵＳＢ１.０、ＵＳＢ２.０、ＰＣＩ、ＳＣＳＩ、ＩＥＥＩ１３９４などの形式のうちの一つにあたることである。
【０００９】
　なお、この考案によるデジタルレコーダーは更に、マルチ形式変換モジュールと接続されて無線信号を受発信する無線信号受発信モジュールを含む。無線信号受発信モジュールはコンピューターの無線信号受発信モジュールと無線でデータを交換する。
【考案の効果】
【００１０】
　従来の技術と比べ、この考案によるデジタルレコーダーはマルチ形式変換モジュールと種々のデータ形式を有する接続ポートを利用して、多種類のデータ形式に対応する接続ポートを提供して使用者の需要を満足させる。なお、この考案は保存メディアを含むため、デジタルレコーダーはコンピューターと接続していない場合においても、アナログＡＶ信号を対応するデジタルＡＶ信号に変換して符号化／復号化し、同時にデジタルＡＶ信号を保存メディアに保存することによって、デジタルレコーダーをコンピューターと改めて接続した後にも、保存されたデジタルＡＶ信号を出力することができる。かくしてＡＶ信号変換装置の使用制限は緩められ、コンピューターと接続しなくてもデジタルレコーダーは作動できる。
【考案を実施するための最良の形態】
【００１１】
　かかるデジタルレコーダーの特徴を詳述するために、具体的な実施例を挙げ、図示を参照にして以下に説明する。
【実施例１】
【００１２】
　図２を参照する。図２はこの考案の第１の実施例による多種類のデータ形式を出力できるデジタルレコーダー２０を表わす説明図である。デジタルレコーダー２０はハウジング２８と、マルチ形式変換モジュール２４と、保存メディア２６と、コントローラー３２と、ＡＶ処理デバイス４４と、表示装置４６とを含む。ＡＶ処理デバイス４４は接続ポート４２からのデジタルＡＶ信号を受信して変換し、またそれを表示装置４６に出力する。表示装置４６はＡＶ処理デバイス４４からのデジタルＡＶ信号を受信して表示する。コンピューターの構造は業界に周知されており、この考案に掲げられる技術ではないため、ここでその説明を省略する。マルチ形式変換モジュール２４はハウジング２８内に設けられ、複数のデータ形式を有する接続ポート３９に応じてケーブル５０を通して相応するコンピューター４０の接続ポート４２と接続されて、デジタルレコーダー２０のデジタルＡＶ信号のデータ形式を変換し、またデータ形式の変換されたデジタルＡＶ信号を接続ポート３９に出力する。保存メディア２６はＨＤＤまたは類似した保存機能を有する装置であってハウジング内２８に設けられ、デジタルレコーダー２０のデジタルＡＶ信号を保存する。コントローラー３２はマルチ形式変換モジュール２４と保存メディア２６と電気的に接続され、マルチ形式変換モジュール２４と保存メディア２６の動作を制御する。
【００１３】
　デジタルレコーダー２０は更にＡＤＣ３０と、ＣＯＤＥＣ２２と、赤外線信号受信モジュール３４と、ＢＩＯＳ３８と、ＯＳＤ制御ユニット３６とを含む。ＡＤＣ３０はハウジング２８内に設けられ、受信した外部アナログＡＶ信号を対応するデジタルＡＶ信号に変換する。ＣＯＤＥＣ２２はハウジング２８内に設けられ、ＡＤＣ３０と、マルチ形式変換モジュール２４と、保存メディア２６と電気的に接続され、ＡＤＣ３０からのデジタルＡＶ信号を受信して符号化／復号化し、また符号化／復号化されたデジタルＡＶ信号をマルチ形式変換モジュール２４と保存メディア２６に出力する。赤外線信号受信モジュール３４はハウジング２８に設けられてコントローラー３２と電気的に接続され、外部赤外線形式の信号、例えばリモートコントローラーからの赤外線信号を受信してデジタルレコーダー２０の動作を制御する。ＢＩＯＳ３８とＯＳＤ制御ユニット３６はそれぞれデジタルレコーダー２０の基本操作に必要なプログラムを提供し、デジタルレコーダー２０の操作メッセージを対応するコンピューター４０の表示装置４６に表示する。
【００１４】
　この考案の第１の実施例において、ＡＤＣ３０は外部アナログ映像信号と相応する音声信号を受信して対応するデジタル映像信号とデジタル音声信号に変換し、またデジタル映像信号とデジタル音声信号をＣＯＤＥＣ２２に伝送する。ＣＯＤＥＣ２２はデジタル映像信号と相応する音声信号を符号化／復号化して対応するＡＶ信号を発生させ、また符号化／復号化されたＡＶ信号をマルチ形式変換モジュール２４と保存メディア２６に伝送する。符号化／復号化されたＡＶ信号は保存メディア２６に保存される一方、マルチ形式変換モジュール２４によってその他のデータ形式に変換される。複数のデータ形式にあたる接続ポート３９のうちの一つの特定のデータ形式を有する接続ポートと、コンピューター４０にある対応するデータ形式を有する接続ポート４２とのケーブル５０による接続を通して、データ形式の変換されて符号化／復号化されたＡＶ信号は相応するコンピューターに送信される。マルチ形式変換モジュール２４のデータ形式変換と複数の形式にあたる接続ポート３９のうちの一つを通して、データをその他のデータ形式を有するコンピューター４２の接続ポート４２と交換できる。
【００１５】
　デジタルレコーダー２０には保存メディア２６が設けられるため、コンピューター４０と接続されていない場合でも、デジタルレコーダー２０は受信したアナログＡＶ信号を対応するデジタルＡＶ信号に変換して符号化／復号化し、また保存メディア２６に保存することができる。そのため、保存メディア２６の設けられたデジタルレコーダー２０はコンピューター４０と接続しなくても単独に作動して受信したアナログＡＶ信号を記録できる。それからデジタルレコーダー２０とコンピューター４０をケーブルで接続し、同一のデータ形式を有する接続ポート３９、４２を接続するとき、デジタルレコーダー２０は記録されたデジタルＡＶ信号をコンピューター４０に出力して表示、保存、編集させる。
【００１６】
　この考案によるデジタルレコーダー２０はマルチ形式変換モジュール２４を具える。マルチ形式変換モジュール２４には種々の規格にあたる接続ポート、例えばＰＣＩ、ＵＳＢ１.１、ＵＳＢ２.０、ＩＥＥＩ１３４９などが設けられる。デジタルレコーダー２０は使用者の需要と対応するコンピューターの形式に応じて、コンピューター４０とデジタルレコーダー２０との互換に利用されるデータ形式を採用できる。
【実施例２】
【００１７】
　この考案によるデジタルレコーダーは更に、無線で対応するコンピューターとデータ交換することが可能である。図３を参照する。図３はこの考案の第２の実施例によるデジタルレコーダー６０を表わす説明図である。この考案の第１の実施例によるデジタルレコーダー２０と比べて、デジタルレコーダー６０は接続ポート３９の代わりに無線受発信モジュール５２を具える。無線受発信モジュール５２はマルチ形式変換モジュール２４と電気的に接続され、マルチ形式変換モジュール２４からのデジタルＡＶ信号を無線で出力する。一方、対応するコンピューター７０は接続ポート４２の代わりに無線受発信モジュール５４を具える。無線受発信モジュール５４はＡＶ処理デバイス４４と電気的に接続され、無線受発信モジュール５２からのデジタル信号を受信する。この考案の第２の実施例において、前述の無線受発信モジュール５２、５４以外、デジタルレコーダー６０とコンピューター７０におけるその他の電子デバイスの接続と動作は第１の実施例と同じであるため、ここでその説明を省略する。なお、注意すべき点は、デジタルレコーダー６０はコンピューター７０と同じドメインにあるＩＰアドレスに設定され、ＩＥＥＥ ８０２.１１ｂなど業界周知の無線伝送規格を利用して、デジタルレコーダー６０とコンピューター７０における無線受発信モジュール５２、５４を通してデータを伝送することである。無線伝送はこの考案に掲げられる技術ではなく、業界にも周知されているため、ここでその説明を省略する。この考案の第１の実施例が取り上げるケーブル５０による接続と、第２の実施例が取り上げる無線受発信モジュール５２、５４による無線伝送は、全てこの考案の範囲に属する。
【００１８】
　注意すべき点は、この考案によるデジタルレコーダーはコンピューターから独立した形、即ちいわゆるセットオンボックスで単独に作動できる。なお、この考案によるデジタルレコーダーはノートブック型コンピューターのドックとしてノートブック型コンピューターと接続しても可能である。
【産業上の利用可能性】
【００１９】
　この考案によるデジタルレコーダーは有線のケーブルでコンピューターの接続ポートと接続するほか、無線伝送で無線受発信モジュールを有するコンピューターとも接続できる。よってケーブルで接続しない限り、コンピューターとデジタルレコーダーの配置はさまざまな可能性がありうるため、工業設計に向いている。
【００２０】
　以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【図面の簡単な説明】
【００２１】
【図１】従来のＡＶ信号変換装置を表わす説明図である。
【図２】この考案の第１の実施例によるデジタルレコーダーを表わす説明図である。
【図３】この考案の第２の実施例によるデジタルレコーダーを表わす説明図である。
【符号の説明】
【００２２】
１０　　　　　　　　　ＡＶ信号変換装置
１２　　　　　　　　　ＡＤＣ
１４　　　　　　　　　ＣＯＤＥＣ
１６　　　　　　　　　形式変換器
１８　　　　　　　　　ＢＩＯＳ
１９　　　　　　　　　赤外線受信モジュール
２０　　　　　　　　　デジタルレコーダー
２２　　　　　　　　　ＣＯＤＥＣ
２４　　　　　　　　　マルチ形式変換モジュール
２６　　　　　　　　　保存メディア
２８　　　　　　　　　ハウジング
３０　　　　　　　　　ＡＤＣ
３２　　　　　　　　　コントローラー
３４　　　　　　　　　赤外線信号受信モジュール
３６　　　　　　　　　ＯＳＤ制御ユニット
３８　　　　　　　　　ＢＩＯＳ
３９　　　　　　　　　接続ポート
４０　　　　　　　　　コンピューター
４２　　　　　　　　　接続ポート
４４　　　　　　　　　ＡＶ処理デバイス
４６　　　　　　　　　表示装置
４８　　　　　　　　　プロセッサー
５０　　　　　　　　　ケーブル
５２　　　　　　　　　無線受発信モジュール
５４　　　　　　　　　無線受発信モジュール
６０　　　　　　　　　デジタルレコーダー
７０　　　　　　　　　コンピューター
【図１】
0003100186.tif 000003
【図２】
0003100186.tif 000004
【図３】
0003100186.tif 000005